(57)【要約】【課題】組み立てを容易にした商品陳列用スタンドを提供すること。【解決手段】全体として各筒状を商品陳列用スタンドは、スタンド本体が、両側を形成する側板１３１と前側を形成する前板１３２と、後側を形成する後板とを有する。スタンド本体の開口１２，１４の下部には棚板１５が備えられている。側板１３１を展開状態から前後方向において折りたたみ可能に構成し、前記開口１２，１４の縁部と前記棚板１５との間には、前側延出部を介在し、後板と棚板１５との間には可撓性を有する連結薄板１７を介在させる。前側延出部および連結薄板１７により、棚板１５を物品載置位置に保持できるとともに、連結薄板１７を撓ませることにより棚板１５を含む全体を折りたたむことができる。【選択図】図１
0003226665.tif 000002
【実用新案登録請求の範囲】
【請求項１】
開口を有するとともに、全体として筒状をなし、折りたたみ可能にしたスタンド本体と、そのスタンド本体内に設けられ、前記開口の下部に位置する棚板とを備え、その棚板をスタンド本体から延出した延出部に貼着し、少なくとも延出部と棚板との間の部分が変形可能にした商品陳列用スタンド。
【請求項２】
前記スタンド本体を、前側を形成する前板と、後側を形成する後板と、両側を形成する側板とにより構成した請求項１に記載の商品陳列用スタンド。
【請求項３】
前記開口をスタンド本体の上面または側面の少なくとも一方に設けた請求項１または２に記載の商品陳列用スタンド。
【考案の詳細な説明】
【技術分野】
【０００１】
本考案は、清涼飲料水のペットボトルや化粧水の容器などの各種商品やサンプルなどを陳列できるようにした商品陳列用スタンドに関するものである。
【背景技術】
【０００２】
特許文献１には、この種の商品陳列用スタンドが開示されている。この特許文献１の商品陳列用スタンドにおいては、複数段の棚板が設けられている。そして、この棚板上に各種商品やサンプルなどが陳列される。
【先行技術文献】
【特許文献】
【０００３】
【特許文献１】実用新案登録第３２１１７８５号公報
【考案の概要】
【考案が解決しようとする課題】
【０００４】
前記特許文献１の商品陳列用スタンドにおいては、前記棚板が商品陳列用スタンドの本体とは別体で構成されている。従って、部品点数が多くなって、保管や移動に不便であるばかりでなく、組み立てや折りたたみに手間がかかるものであった。
【０００５】
本考案の目的は、組み立てや折りたたみを容易に行うことができるようにした商品陳列用スタンドを提供することにある。
【課題を解決するための手段】
【０００６】
上記の目的を達成するために、本考案においては、開口を有するとともに、全体として筒状をなし、折りたたみ可能にしたスタンド本体と、そのスタンド本体内に設けられ、前記開口の下部に位置する棚板とを備え、その棚板をスタンド本体から延出した延出部に貼着し、少なくとも延出部と棚板との間の部分が変形可能にしたことを特徴とする。
【０００７】
以上の構成においては、棚板が延出部を介してスタンド本体と連結されているため、部品点数を減らすことができて、保管や移動に便利である。また、少なくとも延出部と棚板との間の部分が変形可能であるため、棚板の展開や折りたたみが延出部によって拘束されることはなく、商品陳列用スタンドの組み立てや折りたたみを容易に行うことができる。
【考案の効果】
【０００８】
本考案は、組み立てや折りたたみを容易に行うことができるため、商品陳列用スタンドとして優れた効果がある。
【図面の簡単な説明】
【０００９】
【図１】第１実施形態の商品陳列用スタンドの斜視図。
【図２】第１実施形態の商品陳列用スタンドの展開・折りたたみの中間状態を示す斜視図。
【図３】第１実施形態の商品陳列用スタンドの展開状態を示す一部断面図。
【図４】第１実施形態の商品陳列用スタンドの展開・折りたたみの中間状態を示す一部断面図。
【図５】第１実施形態の商品陳列用スタンドの展開・折りたたみの中間状態において折りたたみ側に位置したときを示す一部断面図。
【図６】第２実施形態の商品陳列用スタンドの斜視図。
【図７】第２実施形態の商品陳列用スタンドの展開・折りたたみの中間状態を示す斜視図。
【図８】第２実施形態の商品陳列用スタンドの展開状態を示す一部断面図。
【図９】第２実施形態の商品陳列用スタンドの展開・折りたたみの中間状態を示す一部断面図。
【図１０】第２実施形態の商品陳列用スタンドの展開・折りたたみの中間状態において折りたたみ側に位置したときを示す一部断面図。
【図１１】第３実施形態の商品陳列用スタンドの斜視図。
【図１２】第３実施形態の商品陳列用スタンドの下から見た斜視図。
【図１３】第３実施形態の商品陳列用スタンドの折りたたみ状態の斜視図。
【図１４】第３実施形態の商品陳列用スタンドの断面図。
【図１５】第３実施形態の商品陳列用スタンドの折りたたみ状態の断面図。
【図１６】第４実施形態の商品陳列用スタンドの斜視図。
【図１７】第４実施形態の商品陳列用スタンドの下から見た斜視図。
【図１８】第４実施形態の商品陳列用スタンドの折りたたみ状態の斜視図。
【図１９】第４実施形態の商品陳列用スタンドの断面図。
【図２０】第４実施形態の商品陳列用スタンドの折りたたみ状態の断面図。
【考案を実施するための形態】
【００１０】
（第１実施形態）
以下に、本考案を具体化した第１実施形態を図１〜図５の図面に従って説明する。
図１及び図２に示すように、本実施形態の商品陳列用スタンドは、上面開口１２を形成したほぼ角筒状のスタンド本体（以下、本体という）１３を有し、その本体１３の前面には商品やサンプルを出し入れしたり、陳列用の窓を形成したりするために上下２位置に前面開口１４が形成されている。この前面開口１４は、一箇所に形成されていても、あるいは上下３箇所以上の位置に形成されてもよい。前記上面開口１２から下がった位置および前面開口１４の下縁から下がった位置において、本体１３の内部には棚板１５が設置されている。
【００１１】
図３〜図５に示すように、前記棚板１５は剛性の高い厚紙によって構成されている。図１および図２に示すように、前記本体１３の両側板１３１の前後方向のほぼ中央部には上下方向に延びる折り目部３１が形成されていて、両側板１３１が前後に二つ折りに折りたたみできるようになっている。なお、図２および図５において、２点鎖線は本実施形態の商品陳列用スタンドの扁平な折りたたみ状態を示し、それらの図の実線は折りたたみ状態と展開状態（使用状態）との間の状態を示すものである。図３〜図５に示すように、前記上面開口１２の前側縁部および前面開口１４の前側縁部からは本体１３の内部側にそれぞれ前側延出部１６が形成されており、その先端部が前記棚板１５の前側裏面に貼着されている。この前側延出部１６の２箇所には、横方向に延びる折り目部３２，３３が形成されており、前側の折り目部３２が本体１３の前板１３２との間の境界部を形成し、後側の折り目部３３が棚板１５の前端縁に位置している。
【００１２】
図３〜図５に示すように、本体１３の後板１３３の上下２位置にはスリット１９が形成されている。下部側の２枚の後側延出部としての連結薄板１７は、その後端部が前記スリット１９を通って後板１３３の外側面に貼着されるとともに、連結薄板１７の前端部が下部側の２枚の棚板１５の下面にそれぞれ貼着されている。詳細に図示はしないが、図２に示す最上部の後側延出部としての連結薄板１７は、本体１３の上面開口１２における後板１３３の外側面に前記下側の連結薄板１７と同様に後端部が貼着されており、この連結薄板１７の前端部は最上部の棚板１５の後端部の下面に貼着されている。各連結薄板１７の前後位置にはそれぞれ３本の折り目部３６，３７，３８が形成されており、後側の折り目部３６はスリット１９および上面開口１２の縁部に位置するとともに、前側の折り目部３８は棚板１５の後端部に位置し、前後方向の中間部の折り目部３７は、折り目部３６，３８間に位置している。本実施形態および後述の各実施形態においては、各部材は折り目部３１などの部分において折れ曲がり変形可能であるとともに、連結薄板１７は全体が容易に変形する可撓性を有している。
【００１３】
次に、第１実施形態の作用について説明する。
図２，図５の２点鎖線は、第１実施形態の商品陳列用スタンドの折りたたみ状態を示すものである。この状態においては、両側板１３１が折り目部３１において鋭角をなすように山折り状に折られている。また、前側延出部１６の前側の折り目部３２が山折り状に折られるとともに、後側の折り目部３３が谷折り状に折られている。さらに、連結薄板１７の前側の折り目部が山折り状になるとともに、中間部の折り目部３７が谷折り状に折られ、さらに、後側の折り目部３８が山折り状に折られている。従って、この状態においては、商品陳列用スタンドが扁平状をなしている。この商品陳列用スタンドを展開使用状態にするには、図２の２点鎖線の状態から図１に示すように両側板１３１を折り目部３１の部分で鈍角をなすように開くとともに、図４の２点鎖線の状態から、図３〜図５に示すように、棚板１５を下方の物品載置位置へ押し込めればよい。このようにすれば、図３に示すように、前側延出部１６の前側の折り目部３２が山折り状態を維持にするとともに、後側の折り目部３３がほぼ直角の谷折りの状態になる。また、連結薄板１７が中間部の折り目部３７の近傍において撓み、その後、連結薄板１７の前側の折り目部３６が谷折り状態になるとともに、後側の折り目部３８が山折り状態を維持し、さらに中間部の折り目部３７が折られることなく、その部分が平坦になる。このため、商品陳列用スタンドが展開使用状態になって、棚板１５が前側延出部１６および連結薄板１７によって吊り下げられて、下方から支持された状態になる。このときには、棚板１５が水平状態になり、その棚板１５上に商品やサンプルを陳列できる。商品陳列用スタンドを折りたたみ状態にする場合には、商品陳列用スタンドを前記の展開時と逆の順序で折りたためばよい。
【００１４】
従って、第１実施形態においては、以下の効果がある。
（１）両側板１３１を折りたたんだ状態においては、商品陳列用スタンド全体が扁平になる。従って、不使用状態の商品陳列用スタンドがコンパクトになり、保管や運搬に便利である。
【００１５】
（２）両側板１３１を開いて、棚板１５を押し込むのみで、商品陳列用スタンドを使用状態に展開できる。従って、扁平状態の商品陳列用スタンドを短時間で、簡単に使用状態にできる。また、商品陳列用スタンドを折りたたむ場合には、展開時と逆の作業を行えばよい。従って、展開および折りたたみの作業は簡単である。そして、これらの場合、連結薄板１７は容易に撓むため、商品陳列用スタンドの展開および折りたたみの動きが拘束されることはなく、その作業は容易である。
【００１６】
（３）商品陳列用スタンドの使用状態においては、棚板１５が前側延出部１６および連結薄板１７によって吊下された状態になるため、商品やサンプルの載置に耐えることができる。加えて、棚板１５として剛性の高いものを使用すれば、耐荷重能力が高くなって、載置される商品やサンプルが重量物であっても、その載置に耐えることができる。
【００１７】
（４）商品陳列用スタンドの組み立て状態で側板１３１が折り目部３１の位置で屈曲されるため、商品陳列用スタンド全体の強度を向上できる。
（第２実施形態）
次に、本考案の第２実施形態を図６〜図１０の図面に基づいて説明する。
【００１８】
第２実施形態においては、棚板１５および連結薄板１７の構成が第１実施形態と異なる。すなわち、第２実施形態において、図８〜図１０に示すように、連結薄板１７は、その前端部が棚板１５の下面前端部に貼着されており、その前端部の折り目部４１の前方部分に前側延出部１６が重ねた状態で貼着されている。下部側の連結薄板１７の後端部は後板１３３の開口４６の下縁外側面に貼着されている。上部側の連結薄板１７の後端部は後板１３３の上端縁から後板１３３の下縁外側面に貼着されている。後側の連結薄板１７においては、前記折り目部４１以外に折り目部４２，４３が前後位置に形成されている。後側の折り目部４３は開口４６の縁部および後板１３３の上縁に位置している。
【００１９】
図６に示すように、中央部の折り目部４２の位置において、後側の連結薄板１７にはスリット４４が形成されている。また、棚板１５の後端には、このスリット４４に対して嵌合および離脱可能にした低い突起４５が形成されている。
【００２０】
次に、第２実施形態の作用について説明する。
図７の２点鎖線は、第２実施形態の商品陳列用スタンドの折りたたみ状態を示すものである。この状態においては、第１実施形態と同様に、両側板１３１が折り目部３１において鋭角の山折り状に折られている。また、図９および図１０に示すように、前側延出部１６の折り目部３２が山折り状に折られるとともに、他の折り目部３３が谷折り状に折られている。さらに、連結薄板１７の前側の折り目部４１が山折り状に折られるとともに、中央部の折り目部４２が谷折り状に折られるとともに、後側の折り目部４３が山折り状に折られている。従って、この状態においては、商品陳列用スタンド全体が扁平状をなしている。
【００２１】
この商品陳列用スタンドを図６に示す展開使用状態にするには、第１実施形態と同様に、両側板１３１を折り目部３１の部分で開くとともに、棚板１５を下方へ押し込み、物品載置位置に配置させればよい。このようにすれば、前側延出部１６の前側の折り目部３２が山折り状態を維持するとともに、他の折り目部３３の谷折り角度が直角状態に広がる。また、後側の連結薄板１７が中央部の折り目部４２に近傍において撓みながら、その連結薄板の前側の折り目部４１がフラットに、中央部の折り目部４２がほぼ直角になるとともに、後側の折り目部４３が山折り状態を維持する。また、突起４５がスリット４４内に嵌合される。そして、棚板１５が前側延出部１６および連結薄板１７によって吊り下げられた状態になる。従って、棚板１５が水平状態になり、その棚板１５状に商品を陳列できる。
【００２２】
第２実施形態においては、第１実施形態の効果に加えて、以下の効果がある。
（５）棚板１５が後側の連結薄板１７のスリット４４に嵌合されるため、その棚板１５を定位置において安定させることができる。
【００２３】
（第３実施形態）
次に、本考案の第３実施形態を図１１〜図１５の図面に基づいて説明する。
図１１及び図１２に示すように、本実施形態の商品陳列用スタンドは、上面開口６０を形成した平面ほぼ半円筒状の本体６１を有し、その本体６１の前面には陳列用の窓を形成するために前面開口６２が形成されている。前面開口６２は透明板６３によって塞がれている。開口６２の下縁からわずかに下がった位置において、本体６１の内部には剛性の高い厚紙よりなる棚板６４が設置されている。棚板６４の前端には、指掛凹部６４１が形成されている。前記本体６１の両側部分の前後方向の２箇所部には上下方向に延びる折り目部６５，６６が形成されていて、図１３に示すように、本体６１が前後方向において二つ折りに折りたたみできるようになっている。図１１および図１４に示すように、前記本体６１の背面板６１１の上端部には延出部６７が貼着されており、その延出部６７は上面開口６０から本体６１内に背面板６１１の内側に沿って下方へ延出部されており、その先端部に前記棚板６４の上面が貼着されている。棚板６４の後縁において延出部６７には横方向に延びる折り目部６８が形成されている。図１２および図１４に示すように、棚板６４の下方において、背面板６１１の内面には、板材よりなる補強枠６９がその両端部において貼着されている。補強枠６９の左右位置のそれぞれ３箇所には上下方向に延びる折り目部７０〜７２が形成されている。図１４に示すように、左右の折り目部７２間の位置において補強枠６９の上縁からは折り目部７３を介して延出部７４が形成されており、この延出部７４が棚板６４の下面に折り目部７５を介して貼着されている。なお、図１１および図１３には延出部７４を省略している。図１３および図１５は商品陳列スタンドの折りたたみ状態を示すものである。この状態においては、本体６１が扁平状態になるとともに、補強枠６９が折り目部７１において屈曲されて二つ折り状の扁平状態になっている。また、延出部６７が折り目部６８の位置で屈曲されるとともに、延出部７４が展開状態になって、棚板６４が背面板６１１にほぼ沿う状態になっている。
【００２４】
商品陳列スタンドを使用状態にするには、本体６１をやや展開させながら、棚板６４を下方へ押し込めばよい。このようにすれば、棚板６４によって本体６１がさらに押し広げられて、展開状態になり、図１１，図１２および図１４に示すように、棚板６４が水平状態になって、棚板６４は展開した本体６１を展開状態に保持する。そして、棚板６４は補強枠６９上に支持される。下方の延出部７４は折り目部７３の位置において２つ折り状になる。このため、棚板６４上に商品やサンプルなどを陳列できる。なお、展開状態の商品陳列スタンドを折りたたみ状態にするには、棚板６４の指掛凹部６４１に指を掛けて、棚板６４を引き上げ、本体６１を扁平にすればよい。
【００２５】
本実施形態においては、前記第１実施形態の（１）および（２）に記載の効果とほぼ同様な効果がある。
（第４実施形態）
次に、本考案を具体化した第４実施形態を図１６〜図２０の図面に基づいて説明する。
【００２６】
図１６および図１７に示すように、本実施形態においては、本体８１が台紙状の背面板８２と、その背面板８２の背面に両端部において貼着された透明シートよりなるほぼ半円筒状の側板８０とを備え、側板８０には折り目部８４，８５が形成されている。本体８１の上面には開口６０が形成されている。図１９および図２０に示すように、背面板８２の下端には折り目部８６を介して棚板８３が連結されている。なお、背面板８２および棚板８３は、その表面に連続する薄い化粧シートを有し、折り目部８６は、この化粧シートに形成されている。側板８０の前側中央部の下端からは折り目部８８を介して延出部８９が形成されており、その延出部８９は折り目部９０を介して棚板８３の下面に貼着されている。棚板８３の前端には、指掛凹部８３１が形成されている。図１８および図２０は商品陳列スタンドの折りたたみ状態を示すものである。この状態においては、本体８１が折り目部８５において屈曲されて扁平状態になるとともに、棚板８３が折り目部８６において屈曲されて背面板８２にほぼ沿う状態になっている。
【００２７】
商品陳列スタンドを使用状態にするには、本体８１をやや展開させながら、棚板８３を下方へ押し込めばよい。このようにすれば、図１６，図１７および図１９に示すように、棚板８３によって本体８１がさらに押し広げられて、展開状態になり、棚板８３が水平状態になって、棚板８３は展開した本体８１を展開状態に保持する。そして、棚板８３および延出部８９が本体８１の底壁を構成する。このため、棚板８３上に商品やサンプルなどを陳列できる。展開状態の商品陳列スタンドを折りたたみ状態にするには、棚板８３の指掛凹部８３１に指を掛けて、棚板８３を引き上げ、本体８１を扁平にすればよい。
【００２８】
従って、本実施形態においては、第３実施形態とほぼ同様な効果を有する。
（変更例）
本考案は前記第１，第２実施形態に限定されるものではなく、以下の態様で具体化することができる。そして、本実施形態及び以下の変更例は、技術的に矛盾しない範囲で互いに組み合わせて実施することができる。
【００２９】
・第１，第２実施形態において、本体１３の下部に同本体１３を起立状態に安定させるための脚を設けること。
・第２実施形態において、スリット４４と突起４５とを省略すること。
【００３０】
・第１，第２実施形態において、上面開口１２を塞ぐこと。すなわち、上面開口１２の位置に天板を設けること。
・第１，第２実施形態において、本体１３の側板１３１に商品やサンプルを出し入れしたり、陳列の窓を形成したりするための開口を設けること。
【００３１】
・第１，第２実施形態において、前側延出部１６を容易に撓む可撓性を有する構成とすること。
【符号の説明】
【００３２】
１３…スタンド本体
１５…棚板
１７…連結薄板
３１…折り目部
３２…折り目部
３３…折り目部
４１…折り目部
４２…折り目部
４４…スリット
４６…開口
４５…突起
６０…開口
６２…開口
６４…棚板
６７…延出部
７４…延出部
８０…側板
８３…棚板
８９…延出部
１３１…側板
１３２…前板
１３３…後板
【図１】
0003226665.tif 000003
【図２】
0003226665.tif 000004
【図３】
0003226665.tif 000005
【図４】
0003226665.tif 000006
【図５】
0003226665.tif 000007
【図６】
0003226665.tif 000008
【図７】
0003226665.tif 000009
【図８】
0003226665.tif 000010
【図９】
0003226665.tif 000011
【図１０】
0003226665.tif 000012
【図１１】
0003226665.tif 000013
【図１２】
0003226665.tif 000014
【図１３】
0003226665.tif 000015
【図１４】
0003226665.tif 000016
【図１５】
0003226665.tif 000017
【図１６】
0003226665.tif 000018
【図１７】
0003226665.tif 000019
【図１８】
0003226665.tif 000020
【図１９】
0003226665.tif 000021
【図２０】
0003226665.tif 000022